(57)【要約】【課題】  上衣の型くずれを抑制して上衣を掛けられるハンガー提供する。【解決手段】  従来のハンガーに変わって、フック部と上部を前記フック部の他方の端部に連結する部分である長尺部と、上衣の右肩の側に位置し左側を前記長尺部に連結し上から見て前記長尺部に連結する箇所から上衣の背側へ移るに従って右方向に移る様に傾斜して延びさらに上衣の右側の肩部のカーブに沿って延びる輪郭である右側肩部輪郭を形成する部分である右側肩形状保持部と、上衣の左肩の側に位置し右側を前記長尺部に連結し上から見て前記長尺部に連結する箇所から上衣の背側へ移るに従って左方向に移る様に傾斜して延びさらに上衣の左側の肩部のカーブに沿って延びる輪郭である左側肩部輪郭を形成する部分である左側肩形状保持部と、を備えるものとした。【選択図】    図１
2013176476.tif 000002
【特許請求の範囲】
【請求項１】
上衣を掛けられるハンガーであって、
一方の端部に自由端を形成し上部を上方向にＵ字状に湾曲し他方の端部を下方に向ける部分であるフック部と
上下方向に伸びる長尺形状を形成し上部を前記フック部の他方の端部に連結する部分である長尺部と、
上衣の右肩の側に位置し左側を前記長尺部に連結し上から見て前記長尺部に連結する箇所から所定の距離だけ上衣の背面に移る様に延びさらに上衣の右側の肩部のカーブに沿って延びる輪郭である右側肩部輪郭を形成する部分である右側肩形状保持部と、
上衣の左肩の側に位置し右側を前記長尺部に連結し上から見て前記長尺部に連結する箇所から所定の距離だけ上衣の背面に移る様に延びさらに上衣の左側の肩部のカーブに沿って延びる輪郭である左側肩部輪郭を形成する部分である左側肩形状保持部と、
を備えることを特徴とするハンガー。
【請求項２】
前記右側肩形状保持部が上衣の右肩の側に位置し左側を前記長尺部に連結し上から見て前記長尺部に連結する箇所から上衣の背側へ移るに従って右方向に移る様に傾斜して延びさらに上衣の右側の肩部のカーブに沿って延びる輪郭である右側肩部輪郭を形成する部分であり、
前記左側肩形状保持部が上衣の左肩の側に位置し右側を前記長尺部に連結し上から見て前記長尺部に連結する箇所から上衣の背側へ移るに従って左方向に移る様に傾斜して延びさらに上衣の左側の肩部のカーブに沿って延びる輪郭である左側肩部輪郭を形成する部分である、
を備えることを特徴とする請求項１に記載のハンガー。
【請求項３】
上衣の右肩の側に位置し左側を前記長尺部に連結し上から見て前記長尺部に連結する箇所から上衣の背側へ移るに従って右方向に移る様に傾斜して延びさらに上衣の右側の襟首のカーブに沿って延びる輪郭を形成する部分である右側襟首形状保持部と、
上衣の左肩の側に位置し右側を前記長尺部に連結し上から見て前記長尺部に連結する箇所から上衣の背側へ移るに従って左方向に移る様に傾斜して延びさらに上衣の左側の襟首のカーブに沿って延びる輪郭を形成する部分である左側襟首形状保持部と、
を備えることを特徴とする請求項２に記載のハンガー。
【請求項４】
上衣の襟元の右側に対応して位置し前記長尺部の下部に連結し前記長尺部に連結する箇所から上衣の右側の襟元のカーブに沿って延びる輪郭を形成する部分である右側襟元形状保持部と、
上衣の襟元の左側に対応して位置し前記長尺部の下部に連結し前記長尺部に連結する箇所から上衣の左側の襟元のカーブに沿って延びる輪郭を形成する部分である左側襟元形状保持部と、
を備えることを特徴とする請求項３に記載のハンガー。
【請求項５】
一方の端部を前記右側襟元形状保持部と前記左側襟元形状保持部とが前記長尺部に連結する箇所で前記長尺部に連結し自由端である他方の端部を上衣の背側に向かって突起する部分である突起部と、
を備えることを特徴とする請求項４に記載のハンガー。
【請求項６】
前記右側襟首形状保持部が下部を前記右側肩形状保持部に連結し前記右側肩形状保持部に連結する箇所から上衣の右側の襟首のカーブに沿って延びる輪郭を形成し、
前記左側襟首形状保持部が下部を前記左側肩形状保持部に連結し前記左側肩形状保持部に連結する箇所から上衣の左側の襟首のカーブに沿って延びる輪郭を形成する、
ことを特徴とする請求項５に記載のハンガー。
【請求項７】
前記長尺部が横から見て途中から屈曲し下方に移るのに従って上衣の背側へ移る様に傾斜する傾斜部を有し、
前記右側襟元形状保持部と前記左側襟元形状保持部とが前記傾斜部で前記長尺部に各々に連結する、
ことを特徴とする請求項６に記載のハンガー。
【請求項８】
前記右側肩形状保持部が前記右側肩部輪郭を形成する部分を前記長尺部に連結する箇所より下方の位置で前記長尺部に連結し上から見て前記長尺部に連結する箇所から上衣の背側へ移るに従って右方向に移る様に傾斜して延びさらに前記右側肩部輪郭より下方の位置を上衣の背に沿って延びる輪郭である右側下部輪郭を形成し、
前記左側肩形状保持部が前記左側肩部輪郭を形成する部分を前記長尺部に連結する箇所より下方の位置で前記長尺部に連結し上から見て前記長尺部に連結する箇所から上衣の背側へ移るに従って左方向に移る様に傾斜して延びさらに前記左側肩部輪郭より下方の位置を上衣の背に沿って延びる輪郭である左側下部輪郭を形成する、
ことを特徴とする請求項７に記載のハンガー。
【請求項９】
前記長尺部が上下方向の長さを伸縮可能になる部分を有する、
ことを特徴とする請求項８に記載のハンガー。
【請求項１０】
前記長尺部が直列に連なった複数の湾曲部を持ち伸縮可能になる部分である伸縮部を有する、
ことを特徴とする請求項９に記載のハンガー。
【請求項１１】
上衣の右肩の側に位置し左側を前記長尺部に連結し上から見て前記長尺部に連結する箇所から上衣の背側へ移るに従って右方向に移る様に傾斜して延びさらに上衣の右側の襟首のカーブに沿って延びる輪郭を形成する部分である右側襟首形状保持部と、
上衣の左肩の側に位置し右側を前記長尺部に連結し上から見て前記長尺部に連結する箇所から上衣の背側へ移るに従って左方向に移る様に傾斜して延びさらに上衣の左側の襟首のカーブに沿って延びる輪郭を形成する部分である左側襟首形状保持部と、
を備えることを特徴とする請求項１に記載のハンガー。
【請求項１２】
上衣の襟元の右側に対応して位置し前記長尺部の下部に連結し前記長尺部に連結する箇所から上衣の右側の襟元のカーブに沿って延びる輪郭を形成する部分である右側襟元形状保持部と、
上衣の襟元の左側に対応して位置し前記長尺部の下部に連結し前記長尺部に連結する箇所から上衣の左側の襟元のカーブに沿って延びる輪郭を形成する部分である左側襟元形状保持部と、
を備えることを特徴とする請求項１に記載のハンガー。
【請求項１３】
一方の端部を前記右側襟元形状保持部と前記左側襟元形状保持部とが前記長尺部に連結する位置で前記長尺部に連結し自由端である他方の端部を上衣の背側に向かって突起する部分である突起部と、
を備えることを特徴とする請求項１に記載のハンガー。
【請求項１４】
前記右側襟首形状保持部が下部を前記右側肩形状保持部に連結し前記右側肩形状保持部に連結する箇所から上衣の右側の襟首のカーブに沿って延びる輪郭を形成し、
前記左側襟首形状保持部が下部を前記左側肩形状保持部に連結し前記左側肩形状保持部に連結する箇所から上衣の左側の襟首のカーブに沿って延びる輪郭を形成する、
ことを特徴とする請求項２に記載のハンガー。
【請求項１５】
前記長尺部が横から見て途中から屈曲し下方に移るのに従って上衣の背側へ移る様に傾斜する傾斜部を有し、
前記右側襟元形状保持部と前記左側襟元形状保持部とが前記傾斜部で前記長尺部に各々に連結する、
ことを特徴とする請求項１２に記載のハンガー。
【請求項１６】
前記右側肩形状保持部が前記右側肩部輪郭を形成する部分を前記長尺部に連結する箇所より下方の位置で前記長尺部に連結し上から見て前記長尺部に連結する箇所から上衣の背側へ移るに従って右方向に移る様に傾斜して延びさらに前記右側肩部輪郭より下方の位置を上衣の背に沿って延びる輪郭である右側下部輪郭を形成し、
前記左側肩形状保持部が前記左側肩部輪郭を形成する部分を前記長尺部に連結する箇所より下方の位置で前記長尺部に連結し上から見て前記長尺部に連結する箇所から上衣の背側へ移るに従って左方向に移る様に傾斜して延びさらに前記左側肩部輪郭より下方の位置を上衣の背に沿って延びる輪郭である左側下部輪郭を形成する、
ことを特徴とする請求項１に記載のハンガー。
【請求項１７】
前記長尺部が上下方向の長さを伸縮可能になる部分を有する、
ことを特徴とする請求項１に記載のハンガー。
【請求項１８】
前記長尺部が直列に連なった複数の湾曲部を持ち伸縮可能になる部分である伸縮部を有する、
ことを特徴とする請求項１に記載のハンガー。
【発明の詳細な説明】
【技術分野】
【０００１】
本発明は、上衣を掛けられるハンガーに係る。特に、ワイシャツ、Ｔシャツ、ドレスシャツ等の上衣を掛けられるハンガーに関する。
【背景技術】
【０００２】
保管等のために、上衣を掛けられるハンガーが用いられる。
例えば、ワイシャツ、Ｔシャツ、ドレスシャツ等を掛けるのにハンガーを用いる。
上衣をハンガーに掛けている際に、襟の形状が崩れ無いようにしたいという要請があった。
例えば、ワイシャツ、Ｔシャツ等をハンガーに掛けている際に、襟の形状が崩れ無いようにしたいという要請があった。
また、クリーニング業において、クリーニングをしたワイシャツをハンガー掛けする事は、現在において定番となっている。しかし、糊のきいたワイシャツのボタンを止める作業は、現場において大変にきつい作業である。この作業を省略できると作業性を向上させることができる。
そこで、今まで以上に、掛けた上衣の襟元は襟首の形状を崩れにくするハンガーを案出した。
【発明の概要】
【発明が解決しようとする課題】
【０００３】
本発明は以上に述べた問題点に鑑み案出されたもので、上衣の型くずれを抑制して上衣を掛けられるハンガーを提供する。また、ワイシャツのボタン掛けを省略しても見栄えを保つことをできるハンガーを提供する。
【課題を解決するための手段】
【０００４】
上記目的を達成するため、本発明に係る上衣を掛けられるハンガーであって、一方の端部に自由端を形成し上部を上方向にＵ字状に湾曲し他方の端部を下方に向ける部分であるフック部と上下方向に伸びる長尺形状を形成し上部を前記フック部の他方の端部に連結する部分である長尺部と、上衣の右肩の側に位置し左側を前記長尺部に連結し上から見て前記長尺部に連結する箇所から所定の距離だけ上衣の背面に移る様に延びさらに上衣の右側の肩部のカーブに沿って延びる輪郭である右側肩部輪郭を形成する部分である右側肩形状保持部と、上衣の左肩の側に位置し右側を前記長尺部に連結し上から見て前記長尺部に連結する箇所から所定の距離だけ上衣の背面に移る様に延びさらに上衣の左側の肩部のカーブに沿って延びる輪郭である左側肩部輪郭を形成する部分である左側肩形状保持部と、を備えるものとした。
【０００５】
上記本発明の構成により、フック部が、一方の端部に自由端を形成し上部を上方向にＵ字状に湾曲し他方の端部を下方に向ける部分である。長尺部が、上下方向に伸びる長尺形状を形成し上部を前記フック部の他方の端部に連結する部分である。右側肩形状保持部が、上衣の右肩の側に位置し、左側を前記長尺部に連結し、上から見て前記長尺部に連結する箇所から所定の距離だけ上衣の背面に移る様に延びさらに上衣の右側の肩部のカーブに沿って延びる輪郭である右側肩部輪郭を形成する部分である。左側肩形状保持部が、上衣の左肩の側に位置し、右側を前記長尺部に連結し、上から見て前記長尺部に連結する箇所から所定の距離だけ上衣の背面に移る様に延びさらに上衣の左側の肩部のカーブに沿って延びる輪郭である左側肩部輪郭を形成する部分である。
その結果、上衣をハンガーに掛けたときに、上衣の左右の肩部の形状を保持できる。
【０００６】
以下に、本発明の実施形態に係るハンガーを説明する。本発明は、以下に記載した実施形態のいずれか、またはそれらの中の二つ以上が組み合わされた態様を含む。
【０００７】
本発明の実施形態に係るハンガーは、前記右側肩形状保持部が上衣の右肩の側に位置し左側を前記長尺部に連結し上から見て前記長尺部に連結する箇所から上衣の背側へ移るに従って右方向に移る様に傾斜して延びさらに上衣の右側の肩部のカーブに沿って延びる輪郭である右側肩部輪郭を形成する部分であり、
前記左側肩形状保持部が上衣の左肩の側に位置し右側を前記長尺部に連結し上から見て前記長尺部に連結する箇所から上衣の背側へ移るに従って左方向に移る様に傾斜して延びさらに上衣の左側の肩部のカーブに沿って延びる輪郭である左側肩部輪郭を形成する部分である。
【０００８】
上記本発明の構成により、右側肩形状保持部が、上衣の右肩の側に位置し、左側を前記長尺部に連結し、上から見て前記長尺部に連結する箇所から上衣の背側へ移るに従って右方向に移る様に傾斜して延び、さらに上衣の右側の肩部のカーブに沿って延びる輪郭である右側肩部輪郭を形成する部分である。左側肩形状保持部が、上衣の左肩の側に位置し、右側を前記長尺部に連結し、上から見て前記長尺部に連結する箇所から上衣の背側へ移るに従って左方向に移る様に傾斜して延び、さらに上衣の左側の肩部のカーブに沿って延びる輪郭である左側肩部輪郭を形成する部分である。
その結果、上衣をハンガーに掛けたときに、上衣の左右の肩部の形状を保持できる。
【０００９】
本発明の実施形態に係るハンガーは、上衣の右肩の側に位置し左側を前記長尺部に連結し上から見て前記長尺部に連結する箇所から上衣の背側へ移るに従って右方向に移る様に傾斜して延びさらに上衣の右側の襟首のカーブに沿って延びる輪郭を形成する部分である右側襟首形状保持部と、上衣の左肩の側に位置し右側を前記長尺部に連結し上から見て前記長尺部に連結する箇所から上衣の背側へ移るに従って左方向に移る様に傾斜して延びさらに上衣の左側の襟首のカーブに沿って延びる輪郭を形成する部分である左側襟首形状保持部と、を備える。
上記の実施形態の構成により、右側襟首形状保持部が、上衣の右肩の側に位置し、左側を前記長尺部に連結し、上から見て前記長尺部に連結する箇所から上衣の背側へ移るに従って右方向に移る様に傾斜して延び、さらに上衣の右側の襟首のカーブに沿って延びる輪郭を形成する部分である、左側襟首形状保持部が、上衣の左肩の側に位置し、右側を前記長尺部に連結し、上から見て前記長尺部に連結する箇所から上衣の背側へ移るに従って左方向に移る様に傾斜して延び、さらに上衣の左側の襟首のカーブに沿って延びる輪郭を形成する部分である。
その結果、上衣をハンガーに掛けたときに、上衣の襟首の形状を保持できる。
【００１０】
本発明の実施形態に係るハンガーは、上衣の右側の襟元に対応して位置し前記長尺部の下部に連結し前記長尺部に連結する箇所から上衣の右側の襟元のカーブに沿って延びる輪郭を形成する部分である右側襟元形状保持部と、上衣の左側の襟元に対応して位置し前記長尺部の下部に連結し前記長尺部に連結する箇所から上衣の左側の襟元のカーブに沿って延びる輪郭を形成する部分である左側襟元形状保持部と、を備える。
上記の実施形態の構成により、右側襟元形状保持部が、上衣の右側の襟元に対応して位置し、前記長尺部の下部に連結し、前記長尺部に連結する箇所から上衣の右側の襟元のカーブに沿って延びる輪郭を形成する部分である。左側襟元形状保持部が、上衣の左側の襟元に対応して位置し、前記長尺部の下部に連結し、前記長尺部に連結する箇所から上衣の左側の襟元のカーブに沿って延びる輪郭を形成する部分である。
その結果、上衣をハンガーに掛けたときに、上衣の襟元の形状を保持できる。
【００１１】
本発明の実施形態に係るハンガーは、一方の端部を前記右側襟元形状保持部と前記左側襟元形状保持部とが前記長尺部に連結する箇所で前記長尺部に連結し自由端である他方の端部を上衣の背側に向かって突起する部分である突起部と、を備える。
上記の実施形態の構成により、突起部が、一方の端部を前記右側襟元形状保持部と前記左側襟元形状保持部とが前記長尺部に連結する箇所で前記長尺部に連結し、自由端である他方の端部を上衣の背側に向かって突起する部分である。
その結果、上衣をハンガーに掛けた時に、上衣の襟元の形状を保持できる。
【００１２】
本発明の実施形態に係るハンガーは、前記右側襟首形状保持部が下部を前記右側肩形状保持部に連結し前記右側肩形状保持部に連結する箇所から上衣の右側の襟首のカーブに沿って延びる輪郭を形成し、前記左側襟首形状保持部が下部を前記左側肩形状保持部に連結し前記左側肩形状保持部に連結する箇所から上衣の左側の襟首のカーブに沿って延びる輪郭を形成する、。
上記の実施形態の構成により、前記右側襟首形状保持部が、下部を前記右側肩形状保持部に連結し、前記右側肩形状保持部に連結する箇所から上衣の右側の襟首のカーブに沿って延びる輪郭を形成する。前記左側襟首形状保持部が、下部を前記左側肩形状保持部に連結し、前記左側肩形状保持部に連結する箇所から上衣の左側の襟首のカーブに沿って延びる輪郭を形成する。
その結果、上衣をハンガーに掛けたときに、上衣の襟首と肩とが繋がる形状を保持できる。
【００１３】
本発明の実施形態に係るハンガーは、前記長尺部が横から見て途中から屈曲し下方に移るのに従って上衣の背側へ移る様に傾斜する傾斜部を有し、前記右側襟元形状保持部と前記左側襟元形状保持部とが前記傾斜部で前記長尺部に各々に連結する、
上記の実施形態の構成により、前記長尺部が横から見て途中から屈曲し下方に移るのに従って上衣の背側へ移る様に傾斜する傾斜部を有する。前記右側襟元形状保持部と前記左側襟元形状保持部とが前記傾斜部で前記長尺部に各々に連結する、
その結果、上衣をハンガーに掛けたときに、前記右側襟元形状保持部と前記左側襟元形状保持部とが繋がる箇所の上衣の形状を保持できる。
【００１４】
本発明の実施形態に係るハンガーは、前記右側肩形状保持部が前記右側肩部輪郭を形成する部分を前記長尺部に連結する箇所より下方の位置で前記長尺部に連結し上から見て前記長尺部に連結する箇所から上衣の背側へ移るに従って右方向に移る様に傾斜して延びさらに前記右側肩部輪郭より下方の位置を上衣の背に沿って延びる輪郭である右側下部輪郭を形成し、前記左側肩形状保持部が前記左側肩部輪郭を形成する部分を前記長尺部に連結する箇所より下方の位置で前記長尺部に連結し上から見て前記長尺部に連結する箇所から上衣の背側へ移るに従って左方向に移る様に傾斜して延びさらに前記左側肩部輪郭より下方の位置を上衣の背に沿って延びる輪郭である左側下部輪郭を形成する。
上記の実施形態の構成により、前記右側肩形状保持部が、前記右側肩部輪郭を形成する部分を前記長尺部に連結する箇所より下方の位置で前記長尺部に連結し、上から見て前記長尺部に連結する箇所から上衣の背側へ移るに従って右方向に移る様に傾斜して延びさらに前記右側肩部輪郭より下方の位置を上衣の背に沿って延びる輪郭である右側下部輪郭を形成する。前記左側肩形状保持部が、前記左側肩部輪郭を形成する部分を前記長尺部に連結する箇所より下方の位置で前記長尺部に連結し、上から見て前記長尺部に連結する箇所から上衣の背側へ移るに従って左方向に移る様に傾斜して延びさらに前記左側肩部輪郭より下方の位置を上衣の背に沿って延びる輪郭である左側下部輪郭を形成する。
その結果、、上衣をハンガーに掛けたときに、上衣の左右の背部の形状を保持できる。
【００１５】
本発明の実施形態に係るハンガーは、前記長尺部が上下方向の長さを伸縮可能になる部分を有する。
上記の実施形態の構成により、前記長尺部が上下方向の長さを伸縮可能になる部分を有する。
その結果、襟首と襟元との離間距離に対応してハンガーを調整できる。
【００１６】
本発明の実施形態に係るハンガーは、前記長尺部が直列に連なった複数の湾曲部を持ち伸縮可能になる部分である伸縮部を有する、
上記の実施形態の構成により、前記長尺部の伸縮部が、直列に連なった複数の湾曲部を持ち伸縮可能になる部分である。
その結果、湾曲部の湾曲程度を変化させて、襟首と襟元との離間距離に対応してハンガーを調整できる。
【発明の効果】
【００１７】
以上説明したように、本発明に係るハンガーは、その構成により、以下の効果を有する。
前記フック部の下に前記長尺部を連結し、右側肩形状保持部が前記長尺部の連結箇所から後方に延びさらに右側の肩部に沿って延びる輪郭を形成し、左側肩形状保持部が前記長尺部の連結箇所から後方に延びさらに左側の肩部に沿って延びる輪郭を形成する様にしたので、上衣をハンガーに掛けたときに、上衣の左右の肩部の形状を保持できる。
また、前記フック部の下に前記長尺部を連結し、右側肩形状保持部が前記長尺部の連結箇所から右側後方に傾斜して延びさらに右側の肩部に沿って延びる輪郭を形成し、左側肩形状保持部が前記長尺部の連結箇所から左側後方に傾斜して延びさらに左側の肩部に沿って延びる輪郭を形成する様にしたので、上衣をハンガーに掛けたときに、上衣の左右の肩部の形状を保持できる。
また、右側襟首形状保持部が前記長尺部の連結箇所から右側後方に傾斜して延びさらに右側の襟首に沿って延びる輪郭を形成し、左側襟首形状保持部が前記長尺部の連結箇所から左側後方に傾斜して延びさらに左側の襟首に沿って延びる輪郭を形成する様にしたので、上衣をハンガーに掛けたときに、上衣の襟首の形状を保持できる。
また、右側襟元形状保持部が前記長尺部の下部の連結箇所から上衣の右側の襟元のカーブに沿って延びる輪郭を形成し、左側襟元形状保持部が前記長尺部の下部の連結箇所から上衣の左側の襟元のカーブに沿って延びる輪郭を形成する様にしたので、上衣をハンガーに掛けたときに、上衣の襟元の形状を保持できる。
また、突起部が前記長尺部の連結箇所から上衣の背側に向かって突起する様にしたので、上衣をハンガーに掛けた時に、上衣の襟元の形状を保持できる。
また、襟首の形状を保持する部分と肩の形状を保持する部分とを連結し、連結部から襟首に沿った輪郭を形成したので、上衣をハンガーに掛けたときに、上衣の襟首と肩とが繋がる形状を保持できる。
また、前記右側襟元形状保持部と前記左側襟元形状保持部とが前記長尺部の背側に折れ曲がった傾斜部に各々に連結する様にしたので、上衣をハンガーに掛けたときに、前記右側襟元形状保持部と前記左側襟元形状保持部とが繋がる箇所の上衣の形状を保持できる。
また、右側肩形状保持部が前記長尺部の連結箇所から右側後方に傾斜して延びさらに右側の肩部より下方の位置に沿って延びる輪郭を形成し、左側肩形状保持部が前記長尺部の連結箇所から左側後方に傾斜して延びさらに右側の肩部より下方の位置に沿って延びる輪郭を形成する様にしたので、上衣をハンガーに掛けたときに、上衣の左右の背部の形状を保持できる。
また、記長尺部が上下方向の長さを伸縮可能になる様にしたので、襟首と襟元との離間距離に対応してハンガーを調整できる。
また、前記長尺部が直列に連なった複数の湾曲部を有する様にしたので、湾曲部の湾曲程度を変化させて、襟首と襟元との離間距離に対応してハンガーを調整できる。
従って、上衣の型くずれを抑制して上衣を掛けられるハンガーを提供できる。
【図面の簡単な説明】
【００１８】
【図１】本発明の第一の実施形態に係るハンガーの正面図である。
【図２】本発明の第一の実施形態に係るハンガーの背面図である。
【図３】本発明の第一の実施形態に係るハンガーの平面図である。
【図４】本発明の第一の実施形態に係るハンガーの底面図である。
【図５】本発明の第一の実施形態に係るハンガーの側面図である。
【図６】本発明の第一の実施形態に係るハンガーの側面断面図である。
【図７】本発明の第二の実施形態に係るハンガーの正面図である。
【図８】本発明の第二の実施形態に係るハンガーの背面図である。
【図９】本発明の第二の実施形態に係るハンガーの平面図である。
【図１０】本発明の第二の実施形態に係るハンガーの底面図である。
【図１１】本発明の第二の実施形態に係るハンガーの側面図である。
【図１２】本発明の第二の実施形態に係るハンガーの側面断面図である。
【図１３】本発明の第三の実施形態に係るハンガーの正面図である。
【図１４】本発明の第三の実施形態に係るハンガーの背面図である。
【図１５】本発明の第三の実施形態に係るハンガーの平面図である。
【図１６】本発明の第三の実施形態に係るハンガーの底面図である。
【図１７】本発明の第三の実施形態に係るハンガーの側面図である。
【図１８】本発明の第三の実施形態に係るハンガーの側面断面図である。
【図１９】本発明の第四の実施形態に係るハンガーの正面図である。
【図２０】本発明の第四の実施形態に係るハンガーの背面図である。
【図２１】本発明の第四の実施形態に係るハンガーの平面図である。
【図２２】本発明の第四の実施形態に係るハンガーの底面図である。
【図２３】本発明の第四の実施形態に係るハンガーの側面図である。
【図２４】本発明の第四の実施形態に係るハンガーの側面断面図である。
【図２５】本発明の第五の実施形態に係るハンガーの正面図である。
【図２６】本発明の第五の実施形態に係るハンガーの背面図である。
【図２７】本発明の第五の実施形態に係るハンガーの平面図である。
【図２８】本発明の第五の実施形態に係るハンガーの底面図である。
【図２９】本発明の第五の実施形態に係るハンガーの側面図である。
【図３０】本発明の第五の実施形態に係るハンガーの側面断面図である。
【図３１】本発明の第六の実施形態に係るハンガーの正面図である。
【図３２】本発明の第六の実施形態に係るハンガーの背面図である。
【図３３】本発明の第六の実施形態に係るハンガーの平面図である。
【図３４】本発明の第六の実施形態に係るハンガーの底面図である。
【図３５】本発明の第六の実施形態に係るハンガーの側面図である。
【図３６】本発明の第六の実施形態に係るハンガーの側面断面図である。
【発明を実施するための形態】
【００１９】
以下、本発明を実施するための実施形態にかかるハンガーを、図面を基に、説明する。
ハンガー１０は、上衣を掛けられるものである。
上衣は、身体の上を覆うものである。
例えば、上衣は、ワイシャツ、Ｔシャツ、シャツ、等である。
上衣は、首回りを囲う襟首と襟元とを形成する。
襟首は、首回りの首に当たる箇所である。
襟元は、襟の合わさる胸元である。
ハンガーは、衣服を保管するために用いられる、
ハンガーは、選択した衣服を乾燥させるのに持ちいらせる。
以下では、仮に上衣をヤイシャツであるとして、説明する。
説明の便宜上、上衣の被せる体形の右肩の側を右側と、左肩の側を左側として、説明する。
【００２０】
ハンガー１０は、フック部１１と長尺部１２と右側肩形状保持部１３ｒと左側肩形状保持部１３ｌとで構成される。
【００２１】
フック部１１は、一方の端部に自由端を形成し、上部を上方向にＵ字状に湾曲し、他方の端部を下方に向ける部分である部分である。
フック部１１は、長尺形状を有し、正面から見て、一方の端部に自由端を形成し、上部を上方向にＵ字状に湾曲し、他方の端部を下方に向ける部分である部分であってもよい。
フック部１１は、下方に向ける部分を後述する長尺部１２の上端に連結し、長尺部１２に繋がる。
例えば、フック部１１は、下方に向ける部分を後述する長尺部１２に段差無く滑らかに連結して、長尺部１２に繋がる。
【００２２】
長尺部１２は、上下方向に伸びる長尺形状を形成し、上部をフック部１１の他方の端部に連結する部分である。
長尺部１２は、上下方向に伸びる長尺形状を形成し、上部をフック部１１の他方の端部に連結し、フック部１１に繋がってもよい。
長尺部１２は、横から見て、途中から屈曲し下方に移るのに従って上衣の背側へ移る様に傾斜する傾斜部１２ｂを有していてもよい。
【００２３】
右側肩形状保持部１３ｒは、上衣の右肩を支える部分である。
右側肩形状保持部１３ｒは、上衣の右肩の側に位置し、左側を長尺部１２に連結し、上から見て長尺部１２に連結する箇所から所定の距離だけ上衣の背面に移る様に延びさらに上衣の右側の肩部のカーブに沿って延びる輪郭である右側肩部輪郭Ａｒを形成してもよい。
右側肩形状保持部１３ｒは、上衣の右肩の側に位置し、左側を長尺部１２に連結し、上から見て長尺部に連結する箇所から所定の距離だけ上衣の背面に移る様に延びさらに上衣の右側の肩部のカーブに沿って延びる輪郭である右側肩部輪郭Ａｒを形成してもよい。
右側肩形状保持部１３ｒは、上衣の右肩の側に位置し、左右に長い長尺形状を有し、左側の端部を長尺部１２に連結し、上から見て長尺部１２に連結する箇所から所定の距離だけ上衣の背面に移る様に延び、さらに上衣の右側の肩部のカーブに沿って延びる輪郭である右側肩部輪郭Ａｒを形成してもよい。
【００２４】
左側肩形状保持部１３ｌは、上衣の左肩を支える部分である。
左側肩形状保持部１３ｌは、上衣の左肩の側に位置し、右側を長尺部１２に連結し上から見て長尺部１２に連結する箇所から所定の距離だけ上衣の背面に移る様に延びさらに上衣の左側の肩部のカーブに沿って延びる輪郭である左側肩部輪郭Ａｌを形成してもよい。
左側肩形状保持部１３ｌは、上衣の左肩の側に位置し、右側を長尺部１２に連結し、上から見て長尺部１２に連結する箇所から所定の距離だけ上衣の背面に移る様に延びさらに上衣の左側の肩部のカーブに沿って延びる輪郭である左側肩部輪郭Ａｌを形成すしてもよい。
左側肩形状保持部１３ｌは、上衣の左肩の側に位置し、左右に長い長尺形状を有し、右側の端部を長尺部１２に連結し、上から見て長尺部１２に連結する箇所から所定の距離だけ上衣の背面に移る様に延びさらに上衣の左側の肩部のカーブに沿って延びる輪郭である左側肩部輪郭Ａｌを形成してもよい。
【００２５】
右側肩形状保持部１３ｒの左側がと左側肩形状保持部１３ｌの右側とが、繋がっていてもよい。
右側肩形状保持部１３ｒの長尺部に連結する箇所から上衣の背面に移る様に延びる箇所の一部または全体が、左側肩形状保持部１３ｌの長尺部に連結する箇所から上衣の背面に移る様に延びる箇所の一部または全体が、一体となっていてもよい。
【００２６】
または、右側肩形状保持部１３ｒと左側肩形状保持部１３ｌとが、長尺部１２を介して繋がる形状をしてもよい。
右側肩形状保持部１３ｒと左側肩形状保持部１３ｌとが、直接には連結しない形状をしていてもよい。
【００２７】
右側襟首形状保持部１４ｒは、上衣の右側の襟首を支える部分である。
右側襟首形状保持部１４ｒは、上衣の右肩の側に位置し、左側を長尺部１２に連結し、上から見て長尺部１２に連結する箇所から所定の距離だけ上衣の背側へ移る様に延びさらに上衣の右側の襟首のカーブに沿って延びる輪郭を形成してもよい。
右側襟首形状保持部１４ｒは、上衣の右肩の側に位置し、板状の部分であって、左側を長尺部１２に連結し、上から見て長尺部１２に連結する箇所から所定の距離だけ上衣の背側へ移る様に延びさらに上衣の右側の襟首のカーブに沿って延びる輪郭を形成してもよい。
右側襟首形状保持部１４ｒは、下部を右側肩形状保持部１３ｒに連結し、右側肩形状保持部に連結する箇所から上衣の右側の襟首のカーブに沿って延びる輪郭を形成してもよい。
【００２８】
左側襟首形状保持部１４ｌは、上衣の左側の襟首を支える部分である。
左側襟首形状保持部１４ｌは、上衣の左肩の側に位置し、右側を長尺部１２に連結し、上から見て長尺部１２に連結する箇所から所定の距離だけ上衣の背側へ移る様に延び、さらに上衣の左側の襟首のカーブに沿って延びる輪郭を形成してもよい。
左側襟首形状保持部１４ｌは、上衣の左肩の側に位置し、板状の部分であって、右側を長尺部１２に連結し、上から見て長尺部１２に連結する箇所から所定の距離だけ上衣の背側へ移る様に延び、さらに上衣の左側の襟首のカーブに沿って延びる輪郭を形成してもよい。
左側襟首形状保持部１４ｌは、下部を左側肩形状保持部１３ｌに連結し、左側肩形状保持部１３ｌに連結する箇所から左側へ上衣の左側の襟首のカーブに沿って延びる輪郭を形成してもよい。
【００２９】
右側襟首形状保持部１４ｒの左側がと左側襟首形状保持部１４ｌの右側とが、繋がっていてもよい。
右側襟首形状保持部１４ｒの長尺部に連結する箇所から上衣の背面に移る様に延びる箇所の一部または全体が、左側襟首形状保持部１４ｌの長尺部に連結する箇所から上衣の背面に移る様に延びる箇所の一部または全体が、一体となっていてもよい。
【００３０】
または、右側襟首形状保持部１４ｒと左側襟首形状保持部１４ｌとが、長尺部１２を介して繋がる形状をしてもよい。
右側襟首形状保持部１４ｒと左側襟首形状保持部１４ｌとが、直接には連結しない形状をしていてもよい。
【００３１】
以下に、本発明の複数の実施形態にかかるハンガーを、図を元に、詳述する。
【００３２】
最初に、本発明の第一の実施形態にかかるハンガーを、図を基に、説明する。
図１は、本発明の第一の実施形態に係るハンガーの正面図である。図２は、本発明の第一の実施形態に係るハンガーの背面図である。図３は、本発明の第一の実施形態に係るハンガーの平面図である。図４は、本発明の第一の実施形態に係るハンガーの底面図である。図５は、本発明の第一の実施形態に係るハンガーの側面図である。図６は、本発明の第一の実施形態に係るハンガーの側面断面図である。
【００３３】
ハンガー１０は、フック部１１と長尺部１２と右側肩形状保持部１３ｒと左側肩形状保持部１３ｌとで構成される。
ハンガー１０は、フック部１１と長尺部１２と右側肩形状保持部１３ｒと左側肩形状保持部１３ｌと右側襟首形状保持部１４ｒと左側襟首形状保持部１４ｌとで構成されてもよい。
ハンガー１０は、フック部１１と長尺部１２と右側肩形状保持部１３ｒと左側肩形状保持部１３ｌと右側襟元形状保持部１５ｒと左側襟元形状保持部１５ｌとで構成されてもよい。
ハンガー１０は、フック部１１と長尺部１２と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌとで構成されてもよい。
【００３４】
フック部１１は、一方の端部に自由端を形成し、上部を上方向にＵ字状に湾曲し、他方の端部を下方に向ける部分である部分である。
フック部１１は、長尺形状を有し、正面から見て、一方の端部に自由端を形成し、上部を上方向にＵ字状に湾曲し、他方の端部を下方に向ける部分である部分であってもよい。
フック部１１は、下方に向ける部分を後述する長尺部１２の上端に連結し、長尺部１２に繋がる。
例えば、フック部１１は、下方に向ける部分を後述する長尺部１２に段差無く滑らかに連結して、長尺部１２に繋がる。
【００３５】
フック部１１は、第一チップ止め部１７を設けられる。
第一チップ止め部１７は、主にクリーニング屋、商店等で用いられるタグ、サイズチップ、色分けチップその他を取り付ける部分である。
タグは、管理用のデータを印字されたものである。例えば、タグは、顧客を識別できる情報を印字される。
サイズチップは、上衣のサイズ、型番を表示するものである。
色分けチップは、管理情報を色に分けたチップである。
第一チップ止め部１７は、Ｔ字状の形状を有し、フック部１１の側面にＴ字状の形状の下端を連結する。
第一チップ止め部１７は、フック等の先端で支えて、ハンガーを頭上に持ち上げるのにも用いられる。
【００３６】
長尺部１２は、上下方向に伸びる長尺形状を形成し、上部をフック部１１の他方の端部に連結する部分である。
長尺部１２は、上下方向に伸びる長尺形状を形成し、上部をフック部１１の他方の端部に連結し、フック部１１に繋がってもよい。
長尺部１２は、横から見て、途中から屈曲し下方に移るのに従って上衣の背側へ移る様に傾斜する傾斜部１２ｂを有していてもよい。
例えば、長尺部１２は、フック部１１の下端に連結した箇所から下方に延びる懸垂部１２ａと横から見て懸垂部１２ａの下端から屈曲し下方に移るのに従って上衣の背側へ移る様に傾斜する傾斜部１２ｂとで構成される。
例えば、長尺部１２は、フック部１１の下端に連結した箇所から下方に真直ぐに延びる懸垂部１２ａと横から見て垂直部の下端から屈曲し下方に移るのに従って上衣の背側へ移る様に傾斜する傾斜部１２ｂとで構成される。
【００３７】
右側肩形状保持部１３ｒは、上衣の右肩を支える部分である。
右側肩形状保持部１３ｒは、上衣の右肩の側に位置し、左側を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成してもよい。
右側肩形状保持部１３ｒは、上衣の右肩の側に位置し、左右に長い長尺形状を有し、左側の端部を長尺部１２に連結し、上から見て長尺部１２に連結する箇所から上衣の背側へ移るに従って右方向に移る様に傾斜して延び、さらに上衣の右側の肩部のカーブに沿って延びる輪郭である右側肩部輪郭Ａｒを形成してもよい。
右側肩形状保持部１３ｒは、左側肩形状保持部１３ｌに長尺部１２を介して繋がる形状をしてもよい。
右側肩形状保持部１３ｒは、左側肩形状保持部１３ｌに直接には連結しない形状をしていてもよい。
【００３８】
左側肩形状保持部１３ｌは、上衣の左肩を支える部分である。
左側肩形状保持部１３ｌは、上衣の左肩の側に位置し、右側を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成してもよい。
左側肩形状保持部１３ｌは、上衣の左肩の側に位置し、左右に長い長尺形状を有し、右側の端部を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成してもよい。
左側肩形状保持部１３ｌは、右側肩形状保持部１３ｒに長尺部１２を介して繋がる形状をしてもよい。
左側肩形状保持部１３ｌは、右側肩形状保持部１３ｒに直接には連結しない形状をしていてもよい。
【００３９】
右側襟首形状保持部１４ｒは、上衣の右側の襟首を支える部分である。
右側襟首形状保持部１４ｒは、下部を右側肩形状保持部１３ｒに連結し右側肩形状保持部に連結する箇所から上衣の右側の襟首のカーブに沿って延びる輪郭を形成してもよい。
右側襟首形状保持部１４ｒは、下部を右側肩形状保持部１３ｒに連結し右側肩形状保持部１３ｒに連結する箇所から右側へ上衣の右側の襟首のカーブに沿って延びる輪郭である右側襟首輪郭Ｄｒを形成してもよい。
右側襟首形状保持部１４ｒは、板状の部分であって、下部を右側肩形状保持部１３ｒに連結し右側肩形状保持部１３ｒに連結する箇所から右側へ上衣の右側の襟首のカーブに沿って延びる輪郭を形成してもよい。
右側襟首形状保持部１４ｒは、下部を右側肩形状保持部１３ｒの上部に連結し右側肩形状保持部１３ｒに連結する箇所から右側へ上衣の右側の襟首のカーブに沿って延びる輪郭を形成してもよい。
右側襟首形状保持部１４ｒは、下部を右側肩形状保持部１３ｒの形成する右側肩部輪郭のうち上衣の右側の肩部のカーブに沿って延びる箇所に連結し、右側肩形状保持部１３ｒに連結する箇所から右側へ上衣の右側の襟首のカーブに沿って延びる輪郭を形成してもよい。
右側襟首形状保持部１４ｒは、左側襟首形状保持部１４ｌに直接には連結しない形状をしていてもよい。
【００４０】
左側襟首形状保持部１４ｌは、上衣の左側の襟首を支える部分である。
左側襟首形状保持部１４ｌは、下部を左側肩形状保持部１３ｌに連結し、左側肩形状保持部に連結する箇所から上衣の左側の襟首のカーブに沿って延びる輪郭である左側襟首輪郭Ｄｌを形成してもよい。
左側襟首形状保持部１４ｌは、下部を左側肩形状保持部１３ｌに連結し、左側肩形状保持部１３ｌに連結する箇所から左側へ上衣の左側の襟首のカーブに沿って延びる輪郭である左側襟首輪郭ｄｌを形成してもよい。
左側襟首形状保持部１４ｌは、板状の部分であって、下部を左側肩形状保持部１３ｌに連結し左側肩形状保持部１３ｌに連結する箇所から左側へ上衣の左側の襟首のカーブに沿って延びる輪郭を形成してもよい。
左側襟首形状保持部１４ｌは、下部を左側肩形状保持部１３ｌの上部に連結し左側肩形状保持部１３ｌに連結する箇所から左側へ上衣の左側の襟首のカーブに沿って延びる輪郭を形成してもよい。
左側襟首形状保持部１４ｌは、下部を左側肩形状保持部１３ｌの形成する左側肩部輪郭のうち上衣の左側の肩部のカーブに沿って延びる箇所に連結し左側肩形状保持部１３ｌに連結する箇所から左側へ上衣の左側の襟首のカーブに沿って延びる輪郭を形成してもよい。
左側襟首形状保持部１４ｌは、右側襟首形状保持部１４ｒに直接には連結しない形状をしていてもよい。
【００４１】
右側襟元形状保持部１５ｒは、上衣の右側の襟元を支える部分である。
右側襟元形状保持部１５ｒは、上衣の襟元の右側に対応して位置し、長尺部１２の下部に連結し、長尺部１２に連結する箇所から上衣の右側の襟元のカーブに沿って延びる輪郭である右側襟元輪郭Ｅｒを形成してもよい。
右側襟元形状保持部１５ｒは、板状の部分であって、上衣の襟元の右側に対応して位置し、長尺部１２の下部に連結し、長尺部１２に連結する箇所から上衣の右側の襟元のカーブに沿って延びる輪郭を形成してもよい。
右側襟元形状保持部１５ｒは、棒状の部分であって、上衣の襟元の右側に対応して位置し、長尺部１２の下部に連結し、長尺部１２に連結する箇所から上衣の右側の襟元のカーブに沿って延びる輪郭を形成してもよい。
長尺部１２が横から見て途中から屈曲し下方に移るのに従って上衣の背側へ移る様に傾斜する傾斜部１２ｂを有するときに、右側襟元形状保持部１５ｒが傾斜部１２ｂで長尺部１２に各々に連結してもよい。
【００４２】
左側襟元形状保持部１５ｌは、上衣の左側の襟元を支える部分である。
左側襟元形状保持部１５ｌは、上衣の襟元の左側に対応して位置し、長尺部１２の下部に連結し、長尺部１２に連結する箇所から上衣の左側の襟元のカーブに沿って延びる輪郭である左側襟元輪郭Ｅｌを形成してもよい。
左側襟元形状保持部１５ｌは、板状の部分であって、上衣の襟元の左側に対応して位置し、長尺部１２の下部に連結し、長尺部１２に連結する箇所から上衣の左側の襟元のカーブに沿って延びる輪郭を形成してもよい。
左側襟元形状保持部１５ｌは、棒状の部分であって、上衣の襟元の左側に対応して位置し、長尺部１２の下部に連結し、長尺部１２に連結する箇所から上衣の左側の襟元のカーブに沿って延びる輪郭を形成してもよい。
長尺部１２が横から見て途中から屈曲し下方に移るのに従って上衣の背側へ移る様に傾斜する傾斜部１２ｂを有するときに、左側襟元形状保持部１５ｌが傾斜部１２ｂで長尺部１２に各々に連結してもよい。
【００４３】
右側襟元形状保持部１５ｒと左側襟元形状保持部１５ｌとが、連結して、一体の部分である襟元形状保持部１５であってもよい。
右側襟元形状保持部１５ｒと左側襟元形状保持部１５ｌとが、連結して、一体の板状または棒状の部分である襟元形状保持部１５であってもよい。
正面から見て、右側襟元形状保持部１５ｒが長尺部１２に連結する箇所から右側に移るに従って上方へ移る様に傾斜する形状をし、左側襟元形状保持部１５ｌが、長尺部１２に連結する箇所から左側に移るに従って上方へ移る様に傾斜する形状をしていてもよい。
上から見て、右側襟元形状保持部１５ｒが長尺部１２に連結する箇所から右側に移るに従って背側へ移る様に傾斜する形状をし、左側襟元形状保持部１５ｌが、長尺部１２に連結する箇所から左側に移るに従って背側へ移る様に傾斜する形状をしていてもよい。
横から見て、右側襟元形状保持部１５ｒが長尺部１２に連結する箇所から背側に移るに従って上方向へ移る様に傾斜する形状をし、左側襟元形状保持部１５ｌが、長尺部１２に連結する箇所から背側に移るに従って上方向へ移る様に傾斜する形状をしていてもよい。
【００４４】
次に、本発明の第一の実施形態にかかるハンガーの作用を、図を基に、説明する。
図１、図２は、ハンガー１０がワイシャツを支持する様子を示す。
フック部１１がワイシャツの首回りから上方へ突出する。
右側肩形状保持部１３ｒが、ワイシャツの右肩部をワイシャツの内側から支持する。
左側唐形状保持部１３ｌが、ワイシャツの左肩部をワイシャツの内側から支持する。
ワイシャツの右腕のそでが、右側肩形状保持部１３ｒの右側の端部から垂れる。
ワイシャツの左腕のそでが、左側肩形状保持部１３ｌの左側の端部から垂れる。
右側襟首形状保持部１４ｒが、ワイシャツの首回りの右側の背側を首回りの内側から支持する。
左側襟首形状保持部１４ｌが、ワイシャツの首回りの左側の背側を首回りの内側から支持する。
右側襟元形状保持部１５ｒが、ワイシャツの首回りの右側の襟先を襟の裏側から支持する。
左側襟元形状保持部１５ｌが、ワイシャツの首回りの左側の襟先を襟の裏側から支持する。
この様にすると、複数のハンガー１０に各々に支持された複数のワイシャツを前後方向に重ねても、ワイシャツに無用なしわを生じることない、
また、複数のハンガー１０に各々に支持された複数のワイシャツを前後方向に重ねると、複数のワイシャツが無理なく重なり、コンパクトに重ねることができる。
また、ワイシャツの首回りの形状を良好に保つことができる。
また、複数のハンガー１０に各々に支持された複数のワイシャツを前後方向に重ねても、ワイシャツに無用なしわを生じることなく、コンパクトに重ねることができる。
【００４５】
次に、本発明の第二の実施形態にかかるハンガー１０を、図を元に、説明する。
図７は、本発明の第二の実施形態に係るハンガーの正面図である。図８は、本発明の第二の実施形態に係るハンガーの背面図である。図９は、本発明の第二の実施形態に係るハンガーの平面図である。図１０は、本発明の第二の実施形態に係るハンガーの底面図である。図１１は、本発明の第二の実施形態に係るハンガーの側面図である。  図１２は、本発明の第二の実施形態に係るハンガーの側面断面図である。
第二の実施形態にかかるハンガーは、第一の実施形態にかかるハンガーの別バージョンであって、上衣をコンパクトに見かけ良く畳むことをできる。
第一の実施形態にかかるハンガーのものと同じものの構造の説明を省略し、異なる点を説明する。
【００４６】
ハンガー１０は、フック部１１と長尺部１２と右側肩形状保持部１３ｒと左側肩形状保持部１３ｌとで構成される。
ハンガー１０は、フック部１１と長尺部１２と右側肩形状保持部１３ｒと左側肩形状保持部１３ｌと右側襟首形状保持部１４ｒと左側襟首形状保持部１４ｌとで構成されてもよい。
ハンガー１０は、フック部１１と長尺部１２と右側肩形状保持部１３ｒと左側肩形状保持部１３ｌと右側襟元形状保持部１５ｒと左側襟元形状保持部１５ｌとで構成されてもよい。
ハンガー１０は、フック部１１と長尺部１２と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌとで構成されてもよい。
【００４７】
フック部１１と長尺部１２と右側襟首形状保持部１４ｒと左側襟首形状保持部１４ｌと右側襟元形状保持部１５ｒと左側襟元形状保持部１５ｌの構造は、第一の実施形態にかかるハンガーのものと同じである。
【００４８】
右側肩形状保持部１３ｒは、上衣の右肩を被う箇所を支える部分である。
右側肩形状保持部１３ｒは、上衣の右肩の側に位置し、左側を長尺部１２に連結し、上から見て長尺部１２に連結する箇所から所定の距離だけ上衣の背面に移る様に延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭より下方の位置を上衣の背に沿って延びる輪郭である右側下部輪郭Ｂｒを形成してもよい。
右側肩形状保持部１３ｒは、上衣の右肩の側に位置し、左側を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭より下方の位置を上衣の背に沿って延びる輪郭である右側下部輪郭Ｂｒを形成してもよい。
右側肩形状保持部１３ｒは、上衣の右肩の側に位置し、長尺形状を有し、左側の端部を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭Ａｒより下方の位置を上衣の背に沿って延びる輪郭である右側下部輪郭Ｂｒを形成してもよい。
さらに、右側肩形状保持部１３ｒは、右側肩部輪郭Ａｒの右端部と右側下部輪郭Ｂｒの右端部とを繋ぐ上下方向に延びる右側懸垂輪郭Ｃｒを形成してもよい。
右側肩形状保持部１３ｒは、左側肩形状保持部１３ｌに長尺部１２を介して繋がる形状をしてもよい。
右側肩形状保持部１３ｒは、左側肩形状保持部１３ｌに直接には連結しない形状をしていてもよい。
右側肩形状保持部１３ｒの幅寸法は、第一の実施形態にかかるハンガーの右側肩形状保持部１３ｒの幅寸法より小さい。
【００４９】
左側肩形状保持部１３ｌは、上衣の左肩を被う箇所を支える部分である。
左側肩形状保持部１３ｌは、上衣の左肩の側に位置し、右側を長尺部１２に連結し上から見て長尺部１２に連結する箇所から所定の距離だけ上衣の背面に移る様に延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭より下方の位置を上衣の背に沿って延びる輪郭である左側下部輪郭Ｂｌを形成してもよい。
左側肩形状保持部１３ｌは、上衣の左肩の側に位置し、右側を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭より下方の位置を上衣の背に沿って延びる輪郭である左側下部輪郭Ｂｌを形成してもよい。
左側肩形状保持部１３ｌは、上衣の左肩の側に位置し、長尺形状を有し、右側の端部を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭Ａｌより下方の位置を上衣の背に沿って延びる輪郭である左側下部輪郭Ｂｌを形成してもよい。
さらに、左側肩形状保持部１３ｌは、左側肩部輪郭Ａｌの左端部と左側下部輪郭Ｂｌの左端部とを繋ぐ上下方向に延びる左側懸垂輪郭Ｃｌを形成してもよい。
左側肩形状保持部１３ｌは、右側肩形状保持部１３ｒに長尺部１２を介して繋がる形状をしてもよい。
左側肩形状保持部１３ｌは、右側肩形状保持部１３ｒに直接には連結しない形状をしていてもよい。
左側肩形状保持部１３ｌの幅寸法は、第一の実施形態にかかるハンガーの左側肩形状保持部１３ｌの幅寸法より小さい。
【００５０】
次に、本発明の第二の実施形態にかかるハンガーの作用を、図を基に、説明する。
図７、図８は、ハンガー１０がワイシャツを支持する様子を示す。
フック部１１がワイシャツの首回りから上方へ突出する。
右側肩形状保持部１３ｒが、ワイシャツの右肩部をワイシャツの内側から支持する。
左側唐形状保持部１３ｌが、ワイシャツの左肩部をワイシャツの内側から支持する。
右側襟首形状保持部１４ｒが、ワイシャツの首回りの右側の背側を首回りの内側から支持する。
左側襟首形状保持部１４ｌが、ワイシャツの首回りの左側の背側を首回りの内側から支持する。
右側襟元形状保持部１５ｒが、ワイシャツの首回りの右側の襟先を襟の内側から支持する。
左側襟元形状保持部１５ｌが、ワイシャツの首回りの左側の襟先を襟の内側から支持する。
ワイシャツの幅を右側肩形状保持部１３ｒと左側肩形状保持部１３ｌの全体の幅寸法に合わせて、折り畳む。
ワイシャツの袖が、ハンガーの裏側で折り畳めれる。
この様にすると、複数のハンガー１０に各々に支持された複数のワイシャツを前後方向に重ねても、ワイシャツに無用なしわを生じることない、
また、複数のハンガー１０に各々に支持された複数のワイシャツを前後方向に重ねると、複数のワイシャツが無理なく重なり、コンパクトに重ねることができる。
また、ワイシャツの首回りの形状を良好に保つことができる。
また、複数のハンガー１０に各々に支持された複数のワイシャツを前後方向に重ねても、ワイシャツに無用なしわを生じることなく、コンパクトに重ねることができる。
【００５１】
以下に、本発明の第三の実施形態にかかるハンガーを、図を基に、説明する。
図１３は、本発明の第三の実施形態に係るハンガーの正面図である。図１４は、本発明の第三の実施形態に係るハンガーの背面図である。図１５は、本発明の第三の実施形態に係るハンガーの平面図である。図１６は、本発明の第三の実施形態に係るハンガーの底面図である。図１７は、本発明の第三の実施形態に係るハンガーの側面図である。図１８は、本発明の第三の実施形態に係るハンガーの側面断面図である。
【００５２】
ハンガー１０は、フック部１１と長尺部１２と右側肩形状保持部１３ｒと左側肩形状保持部１３ｌとで構成される。
ハンガー１０は、フック部１１と長尺部１２と右側肩形状保持部１３ｒと左側肩形状保持部１３ｌと右側襟首形状保持部１４ｒと左側襟首形状保持部１４ｌとで構成されてもよい。
ハンガー１０は、フック部１１と長尺部１２と右側肩形状保持部１３ｒと左側肩形状保持部１３ｌと右側襟元形状保持部１５ｒと左側襟元形状保持部１５ｌと突起部１６とで構成されてもよい。
ハンガー１０は、フック部１１と長尺部１２と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌと突起部１６とで構成されてもよい。
【００５３】
フック部１１は、一方の端部に自由端を形成し、上部を上方向にＵ字状に湾曲し、他方の端部を下方に向ける部分である部分である。
フック部１１は、正面から見て、長尺形状を有し、一方の端部に自由端を形成し、上部を上方向にＵ字状に湾曲し、他方の端部を下方に向ける部分である部分であってもよい。
フック部１１は、下方に向ける部分を後述する長尺部１２の上端に連結し、長尺部１２に繋がる。
例えば、フック部１１は、下方に向ける部分を後述する長尺部１２に段差無く滑らかに連結して、長尺部１２に繋がる。
【００５４】
フック部１１は、第一チップ止め部１７、第二チップ止め部１８、及び第三チップ止め部１９を設けられる。
第一チップ止め部１７、第二チップ止め部１８、及び第三チップ止め部１９は、主にクリーニング屋、商店等で用いられるタグ、サイズチップ、その他を取り付ける部分である。
タグは、管理用のデータを印字されたものである。
サイズチップは、上衣のサイズ、型番を表示するものである。
第一チップ止め部１７は、Ｔ字状の形状を有し、フック部１１の側面にＴ字状の形状の下端を連結する。
第二チップ止め部１８は、フック部１１に設けられた穴である。
第三チップ止め部１９は、フック部１１に設けられた窪みである。窪みの側面に凸凹とが設けられる。
【００５５】
長尺部１２は、上下方向に伸びる長尺形状を形成し、上部をフック部１１の他方の端部に連結する部分である。
長尺部１２は、上下方向に伸びる長尺形状を形成し、上部をフック部１１の他方の端部に連結してフック部１１に繋がってもよい。
長尺部１２は、横から見て途中から屈曲し下方に移るのに従って上衣の背側へ移る様に傾斜する傾斜部１２ｂを有していてもよい。
例えば、長尺部１２は、フック部１１の下端に連結した箇所から下方に延びる懸垂部１２ａと横から見て垂直部の下端から屈曲し下方に移るのに従って上衣の背側へ移る様に傾斜する傾斜部１２ｂとで構成される。
例えば、長尺部１２は、フック部１１の下端に連結した箇所から下方に真直ぐに延びる懸垂部１２ａと横から見て垂直部の下端から屈曲し下方に移るのに従って上衣の背側へ移る様に傾斜する傾斜部１２ｂとで構成される。
【００５６】
右側肩形状保持部１３ｒは、上衣の右肩を被う箇所を支える部分である。
右側肩形状保持部１３ｒは、上衣の右肩の側に位置し、左側を長尺部１２に連結し、上から見て長尺部１２に連結する箇所から所定の距離だけ上衣の背面に移る様に延びさらに上衣の右側の肩部のカーブに沿って延びる輪郭である右側肩部輪郭Ａｒを形成してもよい。
右側肩形状保持部１３ｒは、上衣の右肩の側に位置し、左側を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成してもよい。
右側肩形状保持部１３ｒは、上衣の右肩の側に位置し、左右に長い長尺形状を有し、左側の端部を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成してもよい。
右側肩形状保持部１３ｒは、左側肩形状保持部１３ｌに長尺部１２を介して繋がる形状をしてもよい。
右側肩形状保持部１３ｒは、左側肩形状保持部１３ｌに直接には連結しない形状をしていてもよい。
【００５７】
左側肩形状保持部１３ｌは、上衣の左肩を被う箇所を支える部分である。
左側肩形状保持部１３ｌは、上衣の左肩の側に位置し、右側を長尺部１２に連結し上から見て長尺部１２に連結する箇所から所定の距離だけ上衣の背面に移る様に延びさらに上衣の左側の肩部のカーブに沿って延びる輪郭である左側肩部輪郭Ａｌを形成してもよい。
左側肩形状保持部１３ｌは、上衣の左肩の側に位置し、右側を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成してもよい。
左側肩形状保持部１３ｌは、上衣の左肩の側に位置し、左右に長尺形状を有し、右側の端部を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成してもよい。
左側肩形状保持部１３ｌは、右側肩形状保持部１３ｒに長尺部１２を介して繋がる形状をしてもよい。
左側肩形状保持部１３ｌは、右側肩形状保持部１３ｒに直接には連結しない形状をしていてもよい。
【００５８】
右側襟首形状保持部１４ｒは、上衣の右側の襟首を支える部分である。
右側襟首形状保持部１４ｒは、上衣の右肩の側に位置し、左側を長尺部１２に連結し、上から見て長尺部１２に連結する箇所から上衣の背側へ移るに従って右方向に移る様に傾斜して延びさらに上衣の右側の襟首のカーブに沿って延びる輪郭を形成してもよい。
右側襟首形状保持部１４ｒは、上衣の右肩の側に位置し、板状の部分であって、左側を長尺部１２に連結し、上から見て長尺部１２に連結する箇所から上衣の背側へ移るに従って右方向に移る様に傾斜して延びさらに上衣の右側の襟首のカーブに沿って延びる輪郭を形成してもよい。
さらに、右側襟首形状保持部１４ｒは、下部を右側肩形状保持部１３ｒに連結し、右側肩形状保持部に連結する箇所から上衣の右側の襟首のカーブに沿って延びる輪郭を形成してもよい。
右側襟首形状保持部１４ｒは、板状の部分であって、下部を右側肩形状保持部１３ｒに連結し、右側肩形状保持部１３ｒに連結する箇所から右側へ上衣の右側の襟首のカーブに沿って延びる輪郭を形成してもよい。
右側襟首形状保持部１４ｒは、下部を右側肩形状保持部１３ｒの上部に連結し右側肩形状保持部１３ｒに連結する箇所から右側へ上衣の右側の襟首のカーブに沿って延びる輪郭を形成してもよい。
右側襟首形状保持部１４ｒは、下部を右側肩形状保持部１３ｒの形成する右側肩部輪郭のうち上衣の右側の肩部のカーブに沿って延びる箇所に連結し右側肩形状保持部に連結する箇所から右側へ上衣の右側の襟首のカーブに沿って延びる輪郭を形成してもよい。
右側襟首形状保持部１４ｒは、左側襟首形状保持部１４ｌに直接には連結しない形状をしていてもよい。
【００５９】
左側襟首形状保持部１４ｌは、上衣の左側の襟首を支える部分である。
左側襟首形状保持部１４ｌは、上衣の左肩の側に位置し、右側を長尺部１２に連結し、上から見て長尺部１２に連結する箇所から上衣の背側へ移るに従って左方向に移る様に傾斜して延び、さらに上衣の左側の襟首のカーブに沿って延びる輪郭を形成してもよい。
左側襟首形状保持部１４ｌは、上衣の左肩の側に位置し、板状の部分であって、右側を長尺部１２に連結し、上から見て長尺部１２に連結する箇所から上衣の背側へ移るに従って左方向に移る様に傾斜して延び、さらに上衣の左側の襟首のカーブに沿って延びる輪郭を形成してもよい。
さらに、左側襟首形状保持部１４ｌは、下部を左側肩形状保持部１３ｌに連結し、左側肩形状保持部１３ｌに連結する箇所から左側へ上衣の左側の襟首のカーブに沿って延びる輪郭を形成してもよい。
左側襟首形状保持部１４ｌは、板状の部分であって、下部を左側肩形状保持部１３ｌに連結し、左側肩形状保持部１３ｌに連結する箇所から左側へ上衣の左側の襟首のカーブに沿って延びる輪郭を形成してもよい。
左側襟首形状保持部１４ｌは、下部を左側肩形状保持部１３ｌの上部に連結し、左側肩形状保持部１３ｌに連結する箇所から左側へ上衣の左側の襟首のカーブに沿って延びる輪郭を形成してもよい。
左側襟首形状保持部１４ｌは、下部を左側肩形状保持部１３ｌの形成する左側肩部輪郭のうち上衣の左側の肩部のカーブに沿って延びる箇所に連結し左側肩形状保持部に連結する箇所から左側へ上衣の左側の襟首のカーブに沿って延びる輪郭を形成してもよい。
左側襟首形状保持部１４ｌは、右側襟首形状保持部１４ｒに直接には連結しない形状をしていてもよい。
【００６０】
左側襟首形状保持部１４ｌと右側襟首形状保持部１４ｒとが、互いに連結する形状をしていてもよい。
左側襟首形状保持部１４ｌと右側襟首形状保持部１４ｒとは、長尺部１２を介して互いに連結してもよい。
【００６１】
右側襟元形状保持部１５ｒは、上衣の右側の襟元を支える部分である。
右側襟元形状保持部１５ｒは、上衣の襟元の右側に対応して位置し、長尺部１２の下部に連結し、長尺部に連結する箇所から上衣の右側の襟元のカーブに沿って延びる輪郭を形成してもよい。
右側襟元形状保持部１５ｒは、板状の部分であって、上衣の襟元の右側に対応して位置し、長尺部１２の下部に連結し、長尺部１２に連結する箇所から上衣の右側の襟元のカーブに沿って延びる輪郭を形成してもよい。
長尺部１２が横から見て途中から屈曲し下方に移るのに従って上衣の背側へ移る様に傾斜する傾斜部１２ｂを有するときに、右側襟元形状保持部１５ｒが傾斜部１２ｂで長尺部１２に連結してもよい。
【００６２】
左側襟元形状保持部１５ｌは、上衣の左側の襟元を支える部分である。
左側襟元形状保持部１５ｌは、上衣の襟元の左側に対応して位置し、長尺部１２の下部に連結し、長尺部に連結する箇所から上衣の左側の襟元のカーブに沿って延びる輪郭を形成してもよい。
左側襟元形状保持部１５ｌは、板状の部分であって、上衣の襟元の左側に対応して位置し、長尺部１２の下部に連結し、長尺部１２に連結する箇所から上衣の左側の襟元のカーブに沿って延びる輪郭を形成してもよい。
長尺部１２が横から見て途中から屈曲し下方に移るのに従って上衣の背側へ移る様に傾斜する傾斜部１２ｂを有するときに、左側襟元形状保持部１５ｌが傾斜部１２ｂで長尺部１２に連結してもよい。
【００６３】
右側襟元形状保持部１５ｒと左側襟元形状保持部１５ｌとが、連結して、一体の板状の部分である襟元形状保持部１５であってもよい。
正面から見て、右側襟元形状保持部１５ｒが長尺部１２に連結する箇所から右側に移るに従って上方へ移る様に傾斜する形状をし、左側襟元形状保持部１５ｌが、長尺部１２に連結する箇所から左側に移るに従って上方へ移る様に傾斜する形状をしていてもよい。
上から見て、右側襟元形状保持部１５ｒが長尺部１２に連結する箇所から右側に移るに従って背側へ移る様に傾斜する形状をし、左側襟元形状保持部１５ｌが、長尺部１２に連結する箇所から左側に移るに従って背側へ移る様に傾斜する形状をしていてもよい。
横から見て、右側襟元形状保持部１５ｒが長尺部１２に連結する箇所から背側に移るに従って上方向へ移る様に傾斜する形状をし、左側襟元形状保持部１５ｌが、長尺部１２に連結する箇所から背側に移るに従って上方向へ移る様に傾斜する形状をしていてもよい。
【００６４】
突起部１６は、右側襟元形状保持部１５ｒまたは左側襟元形状保持部１５ｌが長尺部に連結する箇所で長尺部１２に連結し、自由端である他方の端部を上衣の背側に向かって突起する部分である。
突起部１６は、襟元形状保持部１５が長尺部に連結する箇所で長尺部に連結し、自由端である他方の端部を上衣の背側に向かって突起する部分である。
突起部１６は、長尺部１２に連結する箇所から上衣の背側に移るにしたがって上方へ延びる様に突起してもよい。
【００６５】
次に、本発明の第三の実施形態にかかるハンガーの作用を、図を基に、説明する。
図１３、図１４は、ハンガー１０がワイシャツを支持する様子を示す。
フック部１１がワイシャツの首回りから上方へ突出する。
右側肩形状保持部１３ｒが、ワイシャツの右肩部をワイシャツの内側から支持する。
ワイシャツの右腕のそでが、右側肩形状保持部１３ｒの右側の端部から垂れる。
ワイシャツの左腕のそでが、左側肩形状保持部１３ｌの左側の端部から垂れる。
左側唐形状保持部１３ｌが、ワイシャツの左肩部をワイシャツの内側から支持する。
右側襟首形状保持部１４ｒが、ワイシャツの首回りの右側の背側を首回りの内側から支持する。
左側襟首形状保持部１４ｌが、ワイシャツの首回りの左側の背側を首回りの内側から支持する。
右側襟元形状保持部１５ｒが、ワイシャツの首回りの右側の襟先を襟の内側から支持する。
左側襟元形状保持部１５ｌが、ワイシャツの首回りの左側の襟先を襟の内側から支持する。
突起部１６が、ワイシャツの首回りの左右の襟先を合わせた個所を上向きに支持する。
この様にすると、複数のハンガー１０に各々に支持された複数のワイシャツを前後方向に重ねても、ワイシャツに無用なしわを生じさせない、
また、この様にすると、襟元のボタンを掛けなくても、ワイシャツ襟元の形状を良好に保持でき、前身ごろの見栄えを良くすることができる。
また、複数のハンガー１０に各々に支持された複数のワイシャツを前後方向に重ねると、複数のワイシャツが無理なく重なり、コンパクトに重ねることができる。
また、ワイシャツの首回りの形状を良好に保つことができる。
また、複数のハンガー１０に各々に支持された複数のワイシャツを前後方向に重ねても、ワイシャツに無用なしわを生じることなく、コンパクトに重ねることができる。
【００６６】
次に、本発明の第四の実施形態にかかるハンガー１０を、図を元に、説明する。
図１９は、本発明の第四の実施形態に係るハンガーの正面図である。図２０は、本発明の第四の実施形態に係るハンガーの背面図である。図２１は、本発明の第四の実施形態に係るハンガーの平面図である。図２２は、本発明の第四の実施形態に係るハンガーの底面図である。図２３は、本発明の第四の実施形態に係るハンガーの側面図である。図２４は、本発明の第四の実施形態に係るハンガーの側面断面図である。
第四の実施形態にかかるハンガーは、第三の実施形態にかかるハンガーの別バージョンであって、上衣をコンパクトに見かけ良く畳むことをできる。
第三の実施形態にかかるハンガーのものと同じものの構造の説明を省略し、異なる点を説明する。
【００６７】
ハンガー１０は、フック部１１と長尺部１２と右側肩形状保持部１３ｒと左側肩形状保持部１３ｌとで構成される。
ハンガー１０は、フック部１１と長尺部１２と右側肩形状保持部１３ｒと左側肩形状保持部１３ｌと右側襟首形状保持部１４ｒと左側襟首形状保持部１４ｌとで構成されてもよい。
ハンガー１０は、フック部１１と長尺部１２と右側肩形状保持部１３ｒと左側肩形状保持部１３ｌと右側襟元形状保持部１５ｒと左側襟元形状保持部１５ｌと突起部１６とで構成されてもよい。
ハンガー１０は、フック部１１と長尺部１２と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌと突起部１６とで構成されてもよい。
【００６８】
フック部１１と長尺部１２と右側襟首形状保持部１４ｒと左側襟首形状保持部１４ｌと右側襟元形状保持部１５ｒと左側襟元形状保持部１５ｌと突起部１６の構造は、第一の実施形態にかかるハンガーのものと同じである。
【００６９】
右側肩形状保持部１３ｒは、上衣の右肩を被う箇所を支える部分である。
右側肩形状保持部１３ｒは、上衣の右肩の側に位置し、左側を長尺部１２に連結し、上から見て長尺部１２に連結する箇所から所定の距離だけ上衣の背面に移る様に延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭より下方の位置を上衣の背に沿って延びる輪郭である右側下部輪郭Ｂｒを形成してもよい。
右側肩形状保持部１３ｒは、上衣の右肩の側に位置し、左側を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭Ａｒより下方の位置を上衣の背に沿って延びる輪郭である右側下部輪郭Ｂｒを形成してもよい。
右側肩形状保持部１３ｒは、上衣の右肩の側に位置し、左右に長い部分であって、左側の端部を長尺部１２に連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成し、さらに右側肩部輪郭Ａｒを形成する部分を長尺部に連結する箇所より下方の位置で長尺部に連結し上から見て長尺部に連結する箇所から上衣の背側へ移るに従って右方向に移る様に傾斜して延びさらに右側肩部輪郭Ａｒより下方の位置を上衣の背に沿って延びる輪郭である右側下部輪郭Ｂｒを形成してもよい。
さらに、右側肩形状保持部１３ｒは、右側肩部輪郭Ａｒの右端部と右側下部輪郭Ｂｒの右端部とを繋ぐ上下方向に延びる右側懸垂輪郭Ｃｒを形成してもよい。
右側肩形状保持部１３ｒは、左側肩形状保持部１３ｌに長尺部１２を介して繋がる形状をしてもよい。
右側肩形状保持部１３ｒは、左側肩形状保持部１３ｌに直接には連結しない形状をしていてもよい。
右側肩形状保持部１３ｒの幅寸法は、第一の実施形態にかかるハンガーの右側肩形状保持部１３ｒの幅寸法より小さい。
【００７０】
左側肩形状保持部１３ｌは、上衣の左肩を被う箇所を支える部分である。
左側肩形状保持部１３ｌは、上衣の左肩の側に位置し、右側を長尺部１２に連結し上から見て長尺部１２に連結する箇所から所定の距離だけ上衣の背面に移る様に延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭より下方の位置を上衣の背に沿って延びる輪郭である左側下部輪郭Ｂｌを形成してもよい。
左側肩形状保持部１３ｌは、上衣の左肩の側に位置し、右側を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭Ａｌより下方の位置を上衣の背に沿って延びる輪郭である左側下部輪郭Ｂｌを形成してもよい。
左側肩形状保持部１３ｌは、左右に長い部分であって、上衣の左肩の側に位置し、右側の端部を長尺部１２に連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成し、さらに左側肩部輪郭Ａｌを形成する部分を長尺部に連結する箇所より下方の位置で長尺部に連結し上から見て長尺部に連結する箇所から上衣の背側へ移るに従って左方向に移る様に傾斜して延びさらに左側肩部輪郭Ａｌより下方の位置を上衣の背に沿って延びる輪郭である左側下部輪郭Ｂｌを形成する。
さらに、左側肩形状保持部１３ｌは、左側肩部輪郭Ａｌの左端部と左側下部輪郭Ｂｌの左端部とを繋ぐ上下方向に延びる左側懸垂輪郭Ｃｌを形成してもよい。
左側肩形状保持部１３ｌは、右側肩形状保持部１３ｒに長尺部１２を介して繋がる形状をしてもよい。
左側肩形状保持部１３ｌは、右側肩形状保持部１３ｒに直接には連結しない形状をしていてもよい。
左側肩形状保持部１３ｌの幅寸法は、第一の実施形態にかかるハンガーの左側肩形状保持部１３ｌの幅寸法より小さい。
【００７１】
次に、本発明の第四の実施形態にかかるハンガーの作用を、図を基に、説明する。
図１９、図２０は、ハンガー１０がワイシャツを支持する様子を示す。
フック部１１がワイシャツの首回りから上方へ突出する。
右側肩形状保持部１３ｒが、ワイシャツの右肩部をワイシャツの内側から支持する。
左側唐形状保持部１３ｌが、ワイシャツの左肩部をワイシャツの内側から支持する。
右側襟首形状保持部１４ｒが、ワイシャツの首回りの右側の背側を首回りの内側から支持する。
左側襟首形状保持部１４ｌが、ワイシャツの首回りの左側の背側を首回りの内側から支持する。
右側襟元形状保持部１５ｒが、ワイシャツの首回りの右側の襟先を襟の内側から支持する。
左側襟元形状保持部１５ｌが、ワイシャツの首回りの左側の襟先を襟の内側から支持する。
ワイシャツの幅を右側肩形状保持部１３ｒと左側肩形状保持部１３ｌの全体の幅寸法に合わせて、折り畳む。
ワイシャツの袖が、ハンガーの裏側に折り畳めれる。
この様にする結果、複数のハンガー１０に各々に支持された複数のワイシャツを前後方向に重ねても、ワイシャツに無用なしわを生じることない、
また、複数のハンガー１０に各々に支持された複数のワイシャツを前後方向に重ねると、複数のワイシャツが無理なく重なり、コンパクトに重ねることができる。
また、ワイシャツの首回りの形状を良好に保つことができる。
また、複数のハンガー１０に各々に支持された複数のワイシャツを前後方向に重ねても、ワイシャツに無用なしわを生じることなく、コンパクトに重ねることができる。
【００７２】
以下に、第五の実施形態にかかるハンガーを、図を元に、説明する。
図２５は、本発明の第五の実施形態に係るハンガーの正面図である。図２６は、本発明の第五の実施形態に係るハンガーの背面図である。図２７は、本発明の第五の実施形態に係るハンガーの平面図である。図２８は、本発明の第五の実施形態に係るハンガーの底面図である。図２９は、本発明の第五の実施形態に係るハンガーの側面図である。図３０は、本発明の第五の実施形態に係るハンガーの側面断面図である。
【００７３】
ハンガー１０は、フック部１１と長尺部１２と右側肩形状保持部１３ｒと左側肩形状保持部１３ｌとで構成される。
ハンガー１０は、フック部１１と長尺部１２と右側肩形状保持部１３ｒと左側肩形状保持部１３ｌと右側襟首形状保持部１４ｒと左側襟首形状保持部１４ｌとで構成されてもよい。
ハンガー１０は、フック部１１と長尺部１２と右側肩形状保持部１３ｒと左側肩形状保持部１３ｌと右側襟元形状保持部１５ｒと左側襟元形状保持部１５ｌとで構成されてもよい。
ハンガー１０は、フック部１１と長尺部１２と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌとで構成されてもよい。
【００７４】
フック部１１と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌの構造は、第一乃至第四の実施形態にかかるハンガーのものと同じなので、説明を省略する。
【００７５】
長尺部１２は、上下方向に伸びる長尺形状を形成し、フック部１１の他方の端部に上部を連結する部分である。
長尺部１２は、上下方向に伸びる長尺形状を形成しフック部１１の他方の端部に上部を連結し、フック部１１に繋がってもよい。
長尺部１２は、横から見て途中から屈曲し下方に移るのに従って上衣の背側へ移る様に傾斜する傾斜部１２ｂを有していてもよい。
例えば、長尺部１２は、フック部１１の下端に連結した箇所から下方に延びる懸垂部１２ａと横から見て垂直部の下端から屈曲し下方に移るのに従って上衣の背側へ移る様に傾斜する傾斜部１２ｂとで構成される。
例えば、長尺部１２は、フック部１１の下端に連結した箇所から下方に真直ぐに延びる懸垂部１２ａと横から見て垂直部の下端から屈曲し下方に移るのに従って上衣の背側へ移る様に傾斜する傾斜部１２ｂとで構成される。
【００７６】
長尺部１２は、上下方向の長さを伸縮可能になる部分を有する。
長尺部１２は、直列に連なった複数の湾曲部を持ち伸縮可能になる部分である伸縮部１２ｂを有する。
例えば、長尺部１２は、懸垂部１２ａと伸縮部１２ｃと傾斜部１２ｂとで構成される。
伸縮部１２ｃは、懸垂部１２ａと傾斜部１２ｂとの間に位置して、伸縮して懸垂部１２ａと傾斜部１２ｂとの離間距離を変更する。その結果、長尺部１２の上下方向の長さが伸縮する。
【００７７】
次に、本発明の第五の実施形態にかかるハンガーの作用を、図を基に、説明する。
図２５、２６は、ハンガー１０がワイシャツを支持する様子を示す。
フック部１１がワイシャツの首回りから上方へ突出する。
右側肩形状保持部１３ｒが、ワイシャツの右肩部をワイシャツの内側から支持する。
左側唐形状保持部１３ｌが、ワイシャツの左肩部をワイシャツの内側から支持する。
ワイシャツの右腕のそでが、右側肩形状保持部１３ｒの右側の端部から垂れる。
ワイシャツの左腕のそでが、左側肩形状保持部１３ｌの左側の端部から垂れる。
右側襟首形状保持部１４ｒが、ワイシャツの首回りの右側の背側を首回りの内側から支持する。
左側襟首形状保持部１４ｌが、ワイシャツの首回りの左側の背側を首回りの内側から支持する。
右側襟元形状保持部１５ｒが、ワイシャツの首回りの右側の襟先を襟の内側から支持する。
左側襟元形状保持部１５ｌが、ワイシャツの首回りの左側の襟先を襟の内側から支持する。
複数のハンガー１０に各々に支持された複数のワイシャツを前後方向に重ねても、ワイシャツに無用なしわを生じることない、
上衣の首回りが大きいとき、伸縮部１２ｃを伸ばして、長尺部１２の上下方向の長さが長くなる。
上衣の首回りが小さいとき、伸縮部１２ｃを縮めて、長尺部１２の上下方向の長さが短くなる。
また、複数のハンガー１０に各々に支持された複数のワイシャツを前後方向に重ねると、複数のワイシャツが無理なく重なり、コンパクトに重ねることができる。
また、ワイシャツの首回りの形状を良好に保つことができる。
また、複数のハンガー１０に各々に支持された複数のワイシャツを前後方向に重ねても、ワイシャツに無用なしわを生じることなく、コンパクトに重ねることができる。
【００７８】
次に、本発明の第六の実施形態に係るハンガーを、図を基に、説明する。
図３１は、本発明の第六の実施形態に係るハンガーの正面図である。図３２は、本発明の第六の実施形態に係るハンガーの背面図である。図３３は、本発明の第六の実施形態に係るハンガーの平面図である。図３４は、本発明の第六の実施形態に係るハンガーの底面図である。図３５は、本発明の第六の実施形態に係るハンガーの側面図である。図３６は、本発明の第六の実施形態に係るハンガーの側面断面図である。
第六の実施形態に係るハンガーの主要構造は、第三の実施形態にかかるハンガーのものと同じなので、同じ構造の説明を省略し、異なる構造のみを説明する。
【００７９】
ハンガー１０は、フック部１１と長尺部１２と右側肩形状保持部１３ｒと左側肩形状保持部１３ｌとで構成される。
ハンガー１０は、フック部１１と長尺部１２と右側肩形状保持部１３ｒと左側肩形状保持部１３ｌと右側襟首形状保持部１４ｒと左側襟首形状保持部１４ｌとで構成されてもよい。
ハンガー１０は、フック部１１と長尺部１２と右側肩形状保持部１３ｒと左側肩形状保持部１３ｌと右側襟元形状保持部１５ｒと左側襟元形状保持部１５ｌと突起部１６とで構成されてもよい。
ハンガー１０は、フック部１１と長尺部１２と右側肩形状保持部１３ｒと左側肩形状保持部１３ｌと右側襟首形状保持部１４ｒと左側襟首形状保持部１４ｌと右側襟元形状保持部１５ｒと左側襟元形状保持部１５ｌと突起部１６とで構成されてもよい。
【００８０】
フック部１１の構造は、第三の実施形態に係るハンガーのものと同じなので、省略する。
【００８１】
長尺部１２は、上下方向に伸びる長尺形状を形成し、上部をフック部１１の他方の端部に連結する部分である。
長尺部１２は、上下方向に伸びる長尺形状を形成し、上部をフック部１１の他方の端部に連結してフック部１１に繋がってもよい。
長尺部１２は、後述する右側肩部輪郭Ａｒと左側肩部輪郭Ａｌのと繋がる箇所に対応する位置に背側に膨らむ凸部である背面凸部１２ｄを有していてもよい。
長尺部１２は、横から見て途中から屈曲し下方に移るのに従って上衣の背側へ移る様に傾斜する傾斜部１２ｂを有していてもよい。
例えば、長尺部１２は、フック部１１の下端に連結した箇所から下方に延びる懸垂部１２ａと横から見て垂直部の下端から屈曲し下方に移るのに従って上衣の背側へ移る様に傾斜する傾斜部１２ｂと背面凸部１２ｄとで構成される。
例えば、長尺部１２は、フック部１１の下端に連結した箇所から下方に真直ぐに延びる懸垂部１２ａと横から見て垂直部の下端から屈曲し下方に移るのに従って上衣の背側へ移る様に傾斜する傾斜部１２ｂと懸垂部１２ａの背側に設けられる背面凸部１２ｄとで構成される。
【００８２】
右側肩形状保持部１３ｒは、上衣の右肩を被う箇所を支える部分である。
右側肩形状保持部１３ｒは、上衣の右肩の側に位置し、左側を長尺部１２に連結し、上から見て長尺部１２に連結する箇所から所定の距離だけ上衣の背面に移る様に延びさらに上衣の右側の肩部のカーブに沿って延びる輪郭である右側肩部輪郭Ａｒを形成してもよい。
右側肩形状保持部１３ｒは、上衣の右肩の側に位置し、左側を長尺部１２の背面凸部１２ｄに連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成してもよい。。
右側肩形状保持部１３ｒは、上衣の右肩の側に位置し、左右に長い長尺形状を有し、左側の端部を長尺部１２の背面凸部１２ｄに連結し、上から見て長尺部１２に連結する箇所から上衣の背側へ移るに従って右方向に移る様に傾斜して延びさらに上衣の右側の肩部のカーブに沿って延びる輪郭である右側肩部輪郭Ａｒを形成してもよい。
右側肩形状保持部１３ｒは、左側肩形状保持部１３ｌに長尺部１２の背面凸部１２ｄを介して繋がる形状をしてもよい。
右側肩形状保持部１３ｒは、左側肩形状保持部１３ｌに直接には連結しない形状をしていてもよい。
【００８３】
左側肩形状保持部１３ｌは、上衣の左肩を被う箇所を支える部分である。
左側肩形状保持部１３ｌは、上衣の左肩の側に位置し、右側を長尺部１２に連結し上から見て長尺部１２に連結する箇所から所定の距離だけ上衣の背面に移る様に延びさらに上衣の左側の肩部のカーブに沿って延びる輪郭である左側肩部輪郭Ａｌを形成してもよい。
左側肩形状保持部１３ｌは、上衣の左肩の側に位置し、右側を長尺部１２の背面凸部１２ｄに連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成してもよい。
左側肩形状保持部１３ｌは、上衣の左肩の側に位置し、左右に長尺形状を有し、右側の端部を長尺部１２の背面凸部１２ｄに連結し、上から見て長尺部１２に連結する箇所から上衣の背側へ移るに従って左方向に移る様に傾斜して延びさらに上衣の左側の肩部のカーブに沿って延びる輪郭である左側肩部輪郭Ａｌを形成してもよい。
左側肩形状保持部１３ｌは、右側肩形状保持部１３ｒに長尺部１２の背面凸部１２ｄを介して繋がる形状をしてもよい。
左側肩形状保持部１３ｌは、右側肩形状保持部１３ｒに直接には連結しない形状をしていてもよい。
【００８４】
右側襟首形状保持部１４ｒと左側襟首形状保持部１４ｌとの構造は、詳細な寸法、形状が異なる者の、第三の実施形態にかかるハンガーのものと同じなので、説明を省略する。
【００８５】
右側襟元形状保持部１５ｒと左側襟元形状保持部１５ｌとの構造は、詳細な寸法、形状が異なる者の、第三の実施形態にかかるハンガーのものと同じなので、説明を省略する。
【００８６】
突起部１６の構造は、詳細な寸法、形状が異なる者の、第三の実施形態にかかるハンガーのものと同じなので、説明を省略する。
【００８７】
本発明の第六の実施形態にかかるハンガーの作用は、第三の実施形態にかかるハンガーの作用と同じなので、説明を省略する。
【００８８】
本発明の実施形態に係るハンガー１０は、その構成により、以下の効果を有する。
フック部１１の下に長尺部１２を連結し、右側肩形状保持部１３ｒが長尺部１２の連結箇所から後方に延びさらに右側の肩部に沿って延びる輪郭を形成し、左側肩形状保持部１３ｌが長尺部１２の連結箇所から後方に延びさらに左側の肩部に沿って延びる輪郭を形成する様にしたので、上衣をハンガーに掛けたときに、上衣の左右の肩部の形状を保持できる。
また、フック部１１の下に長尺部１２を連結し、右側肩形状保持部１３ｒが、長尺部の連結箇所から右側後方に移る様に傾斜して延び、さらに右側の肩部に沿って延びる輪郭を形成し、左側肩形状保持部１３ｒが、長尺部の連結箇所から左側後方に移る様に傾斜して延び、さらに左側の肩部に沿って延びる輪郭を形成する様にしたので、上衣をハンガー１０に掛けたときに、上衣の左右の肩部の形状を保持できる。
また、右側襟首形状保持部１４ｒが、長尺部１２の連結箇所から後方に移る様に延び、さらに右側の襟首に沿って延びる輪郭を形成し、左側襟首形状保持部１４ｌが、長尺部１２の連結箇所から後方に移る様に延び、さらに左側の襟首に沿って延びる輪郭を形成する様にしたので、上衣をハンガーに掛けたときに、上衣の襟首の形状を保持できる。
また、右側襟首形状保持部１４ｒが、長尺部１２の連結箇所から右側後方に移る様に傾斜して延び、さらに右側の襟首に沿って延びる輪郭を形成し、左側襟首形状保持部１４ｌが、長尺部１２の連結箇所から左側後方に移る様に傾斜して延び、さらに左側の襟首に沿って延びる輪郭を形成する様にしたので、上衣をハンガーに掛けたときに、上衣の襟首の形状を保持できる。
また、右側襟元形状保持部１５ｒが長尺部の下部の連結箇所から上衣の右側に襟元のカーブに沿って延びる輪郭を形成し、左側襟元形状保持部１５ｌが長尺部の下部の連結箇所から上衣の左側に襟元のカーブに沿って延びる輪郭を形成する様にしたので、上衣をハンガーに掛けたときに、上衣の襟元の形状を保持できる。
また、突起部１６が長尺部１２の連結箇所から上衣の背側に向かって突起する様にしたので、上衣をハンガーに掛けた時に、上衣の襟元の形状を保持できる。
また、突起部１６は、襟元の形状を支持するので、襟元のボタンを掛けなきくても、衣をハンガーに掛けた時に、上衣の襟元の形状を保持できる。
また、襟首の形状を保持する部分と肩の形状を保持する部分とを連結し、連結部から襟首に沿った輪郭を形成したので、上衣をハンガーに掛けたときに、上衣の襟首と肩とが繋がる形状を保持できる。
また、右側襟元形状保持部１５ｒと左側襟元形状保持部１５ｌとが長尺部１２の背側に折れ曲がった傾斜部に各々に連結する様にしたので、上衣をハンガーに掛けたときに、右側襟元形状保持部１５ｒと左側襟元形状保持部１５ｌとが繋がる箇所の上衣の形状を保持できる。
また、右側肩形状保持部１３ｒが、長尺部１２の連結箇所から右側後方に移る様に傾斜して延びさらに右側の肩部より下方の位置に沿って延びる輪郭を形成し、左側肩形状保持部１３ｌが、長尺部１２の連結箇所から左側後方に移る様に傾斜して延びさらに右側の肩部より下方の位置に沿って延びる輪郭を形成する様にしたので、上衣をハンガーに掛けたときに、上衣の左右の背部の形状を保持できる。
また、長尺部１２が上下方向の長さを伸縮可能になる様にしたので、襟首と襟元との離間距離に対応してハンガーを調整できる。
また、長尺部１２が直列に連なった複数の湾曲部を有する様にしたので、湾曲部の湾曲程度を変化させて、襟首と襟元との離間距離に対応してハンガーを調整できる。
この様にすると、複数のハンガー１０に各々に支持された複数のワイシャツを前後方向に重ねても、ワイシャツに無用なしわを生じることない、
突起部１６が、ワイシャツの首回りの左右の襟先を合わせた個所を上向きに支持する。
上衣の首回りが大きいとき、伸縮部１２ｃを伸ばして、長尺部１２の上下方向の長さが長くなる。
上衣の首回りが小さいとき、伸縮部１２ｃを縮めて、長尺部１２の上下方向の長さが短くなる。
また、複数のハンガー１０に各々に支持された複数のワイシャツを前後方向に重ねると、複数のワイシャツが無理なく重なり、コンパクトに重ねることができる。
また、ワイシャツの首回りの形状を良好に保つことができる。
また、複数のハンガー１０に各々に支持された複数のワイシャツを前後方向に重ねても、ワイシャツに無用なしわを生じることなく、コンパクトに重ねることができる。
【００８９】
本発明は以上に述べた実施形態に限られるものではなく、発明の要旨を逸脱しない範囲で各種の変更が可能である。
ワイシャツをハンガーで支持する場合を例に、説明したが、これに限定されない、例えば、Ｔシャツをハンガーで支持してもよい。この場合、右側襟首形状保持部１４ｒと左側襟首形状保持部１４ｌとはＴシャツの丸い首回りを内側から支持する。
【符号の説明】
【００９０】
Ａｒ  右側肩部輪郭
Ａｌ  左側肩部輪郭
Ｂｒ  右側下部輪郭
Ｂｌ  左側下部輪郭
Ｃｒ  右側懸垂輪郭
Ｃｌ  左側懸垂輪郭
Ｄｒ  右側襟首輪郭
Ｄｌ  左側襟首輪郭
Ｅｒ  右側襟元輪郭
Ｅｌ  左側襟元輪郭
１０    ハンガー
１１    フック部
１２    長尺部
１２ａ  懸垂部
１２ｂ  傾斜部
１２ｃ  伸縮部
１２ｄ  背面凸部
１３ｒ  右側肩形状保持部
１３ｌ  左側肩形状保持部
１４ｒ  右側襟首形状保持部
１４ｌ  左側襟首形状保持部
１５    襟元形状保持部
１５ｒ  右側襟元形状保持部
１５ｌ  右側襟元形状保持部
１６    突起部
１７    第１チップ止め部
１８    第２チック止め部
１９    第３チップ止め部
【先行技術文献】
【特許文献】
【００９１】
【特許文献１】実用新案登録第３１１８４１８号
【特許文献２】実用新案登録第３００２９３６号
【特許文献３】特開２００４−３４４４４５号
【特許文献４】実用新案登録第３１４４４５３号
【特許文献５】特開平８−１０１２６号
【特許文献６】意匠登録第１１４９８４５号
【特許文献７】意匠登録第１１４９８２９号
【特許文献８】意匠登録第１２４７９１３号
【特許文献９】意匠登録第１３０４８９３号
【特許文献１０】意匠登録第１２８１６６３号
【特許文献１１】意匠登録第１３３５０９４号
【図１】
2013176476.tif 000003
【図２】
2013176476.tif 000004
【図３】
2013176476.tif 000005
【図４】
2013176476.tif 000006
【図５】
2013176476.tif 000007
【図６】
2013176476.tif 000008
【図７】
2013176476.tif 000009
【図８】
2013176476.tif 000010
【図９】
2013176476.tif 000011
【図１０】
2013176476.tif 000012
【図１１】
2013176476.tif 000013
【図１２】
2013176476.tif 000014
【図１３】
2013176476.tif 000015
【図１４】
2013176476.tif 000016
【図１５】
2013176476.tif 000017
【図１６】
2013176476.tif 000018
【図１７】
2013176476.tif 000019
【図１８】
2013176476.tif 000020
【図１９】
2013176476.tif 000021
【図２０】
2013176476.tif 000022
【図２１】
2013176476.tif 000023
【図２２】
2013176476.tif 000024
【図２３】
2013176476.tif 000025
【図２４】
2013176476.tif 000026
【図２５】
2013176476.tif 000027
【図２６】
2013176476.tif 000028
【図２７】
2013176476.tif 000029
【図２８】
2013176476.tif 000030
【図２９】
2013176476.tif 000031
【図３０】
2013176476.tif 000032
【図３１】
2013176476.tif 000033
【図３２】
2013176476.tif 000034
【図３３】
2013176476.tif 000035
【図３４】
2013176476.tif 000036
【図３５】
2013176476.tif 000037
【図３６】
2013176476.tif 000038